(57)【要約】【課題】低コストで合理的に構築することができ、また、単に敷地領域を区分したり、見栄えをよくするだけでなく、さらに機能を付与して有効活用できるようにした長大な壁型構造物を提供する。【解決手段】ＰＣ部材７を用いて形成される壁ユニット部１と、隣り合う壁ユニット部１の間に設けられ、隣り合う一方の壁ユニット部１と他方の壁ユニット部１が設置される地盤Ｇのレベルの違い及び隣り合う一方の壁ユニット部１と他方の壁ユニット部１の延設方向の違いを吸収するように、隣り合う壁ユニット部１の端部同士を接続するための節部２とを備え、壁ユニット部１と節部２を複数多連状に接続して構成し、且つ、壁ユニット部１と節部２の内部に建築用途機能空間６を設けて形成する。【選択図】図１
2019157439.tif 000002
【特許請求の範囲】
【請求項１】
ＰＣ部材を用いて形成される壁ユニット部と、隣り合う壁ユニット部の間に設けられ、隣り合う一方の壁ユニット部と他方の壁ユニット部が設置される地盤のレベルの違い及び隣り合う一方の壁ユニット部と他方の壁ユニット部の延設方向の違いを吸収するように、隣り合う壁ユニット部の端部同士を接続するための節部とを備え、前記壁ユニット部と前記節部を複数多連状に接続して構成され、
且つ、前記壁ユニット部と前記節部の内部に建築用途機能空間を設けて形成されていることを特徴とする長大な壁型構造物。
【請求項２】
請求項１記載の長大な壁型構造物において、
前記壁型構造物が防潮堤であることを特徴とする長大な壁型構造物。
【請求項３】
請求項１または請求項２に記載の長大な壁型構造物を構築する方法であって、
前記壁型構造物を構築する施工領域の地盤に対し各壁ユニット部を構築する部分毎に整地を行い、基礎構造を構築する基礎構造構築工程と、
整地した地盤面に、前記壁ユニット部を構築する施工領域の両側にそれぞれ、前記壁ユニット部の延設方向に沿って平行且つ水平にスライドレールを設置し、該一対のスライドレールに走行可能に支持させてスライドゲートクレーンを設置するスライドゲートクレーン設置工程と、
前記スライドゲートクレーンをスライドレール上で走行移動させ、該スライドゲートクレーンでＰＣ部材を順次搬送しつつ組み上げ、工業化構法によって前記建築用途機能空間を備えた前記壁型構造物を構築してゆくＰＣ部材組み上げ工程とを備えることを特徴とする長大な壁型構造物の施工方法。
【発明の詳細な説明】
【技術分野】
【０００１】
本発明は、城壁のような長大な壁型構造物及び長大な壁型構造物の施工方法に関する。
【背景技術】
【０００２】
領域区分を明確にするなどを目的に敷地境界等に壁を設けるようにしている。また、周知の通り、欧州などには、都市全体を取り囲むように、又は国境の境界線に設けられた長大な城壁（壁型構造物）が数多く存在する（例えば、特許文献１参照）。
【０００３】
ここで、例えば、欧州に残る城壁には、城壁部（幕壁）と、隣り合う城壁部の間に設けられ、城壁部に達した敵兵等に攻撃を加えるために突出形成された城壁塔部（城壁塔）とを石材を積み重ねるなどして構築したものが多々ある。また、城壁部や城壁塔部の天端を通路とし、石造りの高欄を備えるなどして構成されている。このような歴史的建造物である城壁は、そのデザイン性も非常に優れているため、観光資産としての価値が非常に高いものとなっている。
【先行技術文献】
【特許文献】
【０００４】
【特許文献１】特表２００４−５２１２１３号公報
【発明の概要】
【発明が解決しようとする課題】
【０００５】
一方、例えば、優れたデザイン性を活かし、テーマパークやアミューズメントパークなどに、敷地境界などに沿って長大な城壁のような壁型の構造物を設けようとした場合、長大であるが故に平面的、断面的な敷地の不整形さによって構造物が極めて複雑な形状にならざるを得ず、従来の合理的な工業化構法を適用することもできないため、非常に高コストになってしまう。
【０００６】
本発明は、上記事情に鑑み、低コストで合理的に構築することができ、また、単に敷地領域を区分したり、見栄えをよくするだけでなく、さらに機能を付与して有効活用できるようにした長大な壁型構造物を提供することを目的とする。
【課題を解決するための手段】
【０００７】
上記の目的を達するために、この発明は以下の手段を提供している。
【０００８】
本発明に係る長大な壁型構造物は、ＰＣ部材を用いて形成される壁ユニット部と、隣り合う壁ユニット部の間に設けられ、隣り合う一方の壁ユニット部と他方の壁ユニット部が設置される地盤のレベルの違い及び隣り合う一方の壁ユニット部と他方の壁ユニット部の延設方向の違いを吸収するように、隣り合う壁ユニット部の端部同士を接続するための節部とを備え、前記壁ユニット部と前記節部を複数多連状に接続して構成され、且つ、前記壁ユニット部と前記節部の内部に建築用途機能空間を設けて形成されていることを特徴とする。
【０００９】
また、本発明に係る長大な壁型構造物においては、前記壁型構造物が防潮堤であってもよい。
【００１０】
本発明に係る長大な壁型構造物の施工方法は、上記のいずれかの長大な壁型構造物を構築する方法であって、前記壁型構造物を構築する施工領域の地盤に対し各壁ユニット部を構築する部分毎に整地を行い、基礎構造を構築する基礎構造構築工程と、整地した地盤面に、前記壁ユニット部を構築する施工領域の両側にそれぞれ、前記壁ユニット部の延設方向に沿って平行且つ水平にスライドレールを設置し、該一対のスライドレールに走行可能に支持させてスライドゲートクレーンを設置するスライドゲートクレーン設置工程と、前記スライドゲートクレーンをスライドレール上で走行移動させ、該スライドゲートクレーンでＰＣ部材を順次搬送しつつ組み上げ、工業化構法によって前記建築用途機能空間を備えた前記壁型構造物を構築してゆくＰＣ部材組み上げ工程とを備えることを特徴とする。
【発明の効果】
【００１１】
本発明の長大な壁型構造物及び長大な壁型構造物の施工方法によれば、低コストで合理的に構築することができ、また、単に敷地領域を区分したり、見栄えをよくするだけでなく、さらに機能を付与して有効活用することが可能になる。
【図面の簡単な説明】
【００１２】
【図１】本発明の一実施形態に係る長大な壁型構造物を示す正面図である。
【図２】本発明の一実施形態に係る長大な壁型構造物を示す平面図である。
【図３】本発明の一実施形態に係る長大な壁型構造物を示す斜視図である。
【図４】本発明の一実施形態に係る長大な壁型構造物の基礎構造を示す斜視図である。
【図５】本発明の一実施形態に係る長大な壁型構造物の施工方法を示す図である。
【図６】本発明の一実施形態に係る長大な壁型構造物の施工方法を示す図である。
【発明を実施するための形態】
【００１３】
以下、図１から図６を参照し、本発明の一実施形態に係る長大な壁型構造物及び長大な壁型構造物の施工方法について説明する。
【００１４】
本実施形態の長大な壁型構造物Ａは、図１から図３に示すように、ＰＣ（プレキャストコンクリート）の柱材、梁材、床材、壁材を組み付けて形成される壁ユニット部１と、隣り合う壁ユニット部１の間に設けられ、隣り合う一方の壁ユニット部１と他方の壁ユニット部１が設置される地盤Ｇの高さ（レベル）の違いや隣り合う一方の壁ユニット部１と他方の壁ユニット部１の延設方向の違いを吸収するように、隣り合う壁ユニット部１の端部同士を接続するための節部２とを備えてなり、これら壁ユニット部１と節部２を複数多連状に接続して構成されている。
【００１５】
なお、本実施形態の長大な壁型構造物Ａの壁ユニット部１は、例えば、長さが３０〜６０ｍ程度の直線で、幅（奥行き）が１０ｍ程度、高さが１５ｍ程度を基本としている。
【００１６】
また、この長大な壁型構造物Ａは、図４に示すように、各壁ユニット部１、節部２の施工領域Ｒの地盤Ｇ内に複数の支持杭３を打設し、その杭頭部に杭頭基礎４を設け、且つ各壁ユニット部１の施工領域Ｒ毎に地盤面を整地してなる基礎構造５を備えている。なお、基礎構造は、特に本実施形態のように限定する必要はなく、支持杭を打設するとともに、複数の支持杭の杭頭部を一体に接続するように基礎スラブを設けて構成してもよい。また、基礎構造５は直接基礎であってもよい。
【００１７】
一方、本実施形態の長大な壁型構造物Ａは、例えば電車（鉄道等）、自動車、歩行者などの交通路、商業施設、研究施設、オフィス、駐車場、宿泊施設、住戸、倉庫など、適宜選択した建築用途機能を壁型構造物Ａに具備させるための建築用途機能空間６が壁ユニット部１、節部２の内部に形成されている。また、壁型構造物Ａの内部が複数の階層に分かれ、異なる建築用途機能を各階層に設けることができるように形成されている。
【００１８】
例えば、節部２は地上階から上層階、頂部まで達する階段やエレベーターなどで上下移動可能に構成されていたり、壁ユニット部１は、地上階から上層階、頂部の上下の複数階層をそれぞれ、交通路、駐車場、商業施設、研究施設、オフィス、駐車場、宿泊施設、住戸、倉庫などを設けて構成されている。また、節部３には、壁ユニット部１の端部を接合する部分にフレキシブルジョイントが用いられ、フレキシブルジョイントと壁ユニット部１の端部が構造的なエキスパンションジョイント（図１、図２、図３の符号Ｓ部）となっている。なお、構造的なエキスパンションジョイント（フレキシブルジョイント）は、構造上問題がなければ、節部３の片側だけに設けてもよいし、なくてもよい。また、壁型構造物Ａの建築用途機能空間６に鉄道、モノレールなどを設ける場合には壁ユニット部１と節部３を剛接合することが望ましい。
【００１９】
この長大な壁型構造物Ａは、例えば、表面に石材を打ち込むなどした壁用ＰＣ部材７を用いることによって欧州の城壁のような外観で形成されている（図１参照）。また、屋上には、石材を打ち込むなどしたＰＣ部材を用いて壁高欄を設けたり、緑化を施して屋上ガーデンが設けられ、デザイン性に優れた壁型構造物Ａとされている。
【００２０】
また、商業施設８などを設け際には、その区画の節部２及び壁ユニット部１の奥行き（壁厚に相当）を他の部分よりも大きくして十分な建築用途機能空間６を確保できるように形成されている（図２、図３参照）。
【００２１】
上記構成からなる本実施形態の長大な壁型構造物Ａを構築する方法の一例を説明する。
【００２２】
はじめに、図４に示すように、壁型構造物Ａを構築する部分の地盤Ｇに対し各壁ユニット部１を構築する部分毎に例えば地表面が水平になるように整地を行い、整地を行った施工領域Ｒに複数の支持杭３を打設する（基礎構造構築工程）。また、複数の支持杭３の杭頭に杭頭基礎４を一体に形成する。
【００２３】
次に、図５及び図６に示すように、整地した地盤面に、壁ユニット部１（及び節部２）を構築する施工領域Ｒを挟み込むように、施工領域Ｒの両側、すなわち、壁型構造物Ａの前面と背面の外側にそれぞれ、壁ユニット部１の延設方向に沿って平行且つ水平にスライドレール１０を設置する。また、一対のスライドレール１０に走行可能に支持させてスライドゲートクレーン１１を設置する（スライドゲートクレーン設置工程）。
【００２４】
ここで、スライドゲートクレーン１１は、例えば、下端をスライドレール１０に係合させて鉛直方向に立設される柱状あるいは壁状の一対のスライド支持部１１ａと、一対のスライド支持部１１ａの上端部同士を連結するように架設された架設部１１ｂとを備えて門型に形成され、走行方向に沿う前後方向及び走行方向に直交する幅方向（ＸＹ方向）にそれぞれ可動するクレーン装置（揚重装置）１１ｃを架設部１１ｂに備えて構成されている。
【００２５】
なお、スライド支持部１１ａなどに、スライドゲートクレーン１１をスライドレール１０上で走行移動させるための駆動手段が適宜設けられている。
【００２６】
本実施形態では、スライドゲートクレーン１１の一方のスライド支持部１１ａと施工領域Ｒの一側端部との間に、ＰＣ部材などの資機材を搬入するための車両走行領域Ｔが設けられ、車両が走行してスライドゲートクレーン１１の内側に入出可能とされている。
【００２７】
壁ユニット部１（や節部２）を構築する際には、資機材を車両走行領域Ｔに搬入するとともにスライドゲートクレーン１１のクレーン装置１１ｃで各種ＰＣ部材７、１２を吊り上げ、スライドゲートクレーン１０の走行移動及びクレーン装置１１ｃの可動によって所定位置に搬送し、整地された施工領域Ｒ上に、所望の建築用途空間６が形成されるように組み上げてゆく。
【００２８】
そして、スライドゲートクレーン１１を順次スライドレール１０上で走行移動させながらＰＣ部材７、１２の各部材を組み上げてゆくことによって、工業化構法を適用し、効率的に長大な壁型構造物Ａを構築することが可能になる（ＰＣ部材組み上げ工程）。
【００２９】
また、壁用ＰＣ部材７として、例えばその表面に化粧石の石材を打ち込んだＰＣ部材を用いることでこの壁用ＰＣ部材７を設置してゆくとともに欧州の城壁のようなデザイン性に優れた壁型構造物Ａを容易に構築することができる。
【００３０】
さらに、スライドゲートクレーン１１を用いて、壁型構造物Ａの天井部／屋上に石打ち込み済みのＰＣ部材を用いて壁高欄を設けたり、緑化を施して屋上ガーデンを設けるなどすれば、さらにデザイン性に優れた城壁型の構造物を構築することができる。
【００３１】
また、各壁ユニット部１を構築する部分毎に地表面が水平になるように整地を行うことで、言い換えれば、各壁ユニット部１を設ける施工領域Ｒのレベル面を水平で均一にしておくことで、隣り合う節部３の間に設けられる壁ユニット部１の延設方向一端部から他端部の高さ、厚さ（幅）、構造的な断面形状を均一／一定にすることができる。これにより、確実にユニット化ひいては工業化構法に適した構造にすることができる。
【００３２】
したがって、本実施形態の壁型構造物Ａ及びこの壁化型構造物Ａの施工方法によれば、長大な壁型構造物Ａを低コストで合理的に構築することができる。また、単に敷地領域を区分したり、見栄えをよくするだけでなく、内部に建築用途機能６を設ける空間を備え、内部空間を有効活用可能な壁型構造物Ａを構築することができる。
【００３３】
以上、本発明に係る壁型構造物及びこの壁化型構造物の施工方法の一実施形態について説明したが、本発明は上記の実施形態に限定されるものではなく、その趣旨を逸脱しない範囲で適宜変更可能である。
【００３４】
例えば、本実施形態では、主要構成部材としてＰＣ部材７、１２のみを用い、壁型構造物Ａを構築するものとして説明を行ったが、例えば、スライドゲートクレーン１１を用いて基礎構造５上に鉄骨枠を組み上げ、この鉄骨枠に床用ＰＣ部材や壁用ＰＣ部材等のＰＣ部材７、１２を取り付けて壁型構造物Ａを構築／構成してもよい。この場合においても、本実施形態と同様の作用効果を得ることができ、工業化構法によって効率的に長大な壁型構造物Ａを構築することができる。また、支持杭３に構真柱を建て込むなどして構成すれば、さらなる施工性の向上、壁型構造物Ａの耐力の向上等を図ることも可能になる。
【００３５】
また、本実施形態では、壁用ＰＣ部材等が表面に石材を打ち込むなどして城壁のような外観を実現できるように形成されているものとしたが、ＰＣ部材の表面等のデザイン性に関しては特に限定を必要としない。例えば、表面が石材を積み上げた形となるような型枠、顔料で着色したフレッシュコンクリートを用いるなどし、あたかも表面に石材を打ち込んだ外観を模した形でＰＣ部材を製造し、これを用いても構わない。この場合には、数十年単位の長期的な観点での経年劣化で石材が剥離するようなことがなく、メンテナンス性を向上させることができる。
【００３６】
また、本発明に係る壁型構造物は防潮堤として用いられてもよい。
東日本大震災で巨大な津波の被害が発生したことを受け、被災地や今後巨大地震に伴い津波の発生、被害が予測されている地域では、津波による被害の防止、抑止を目的に防潮堤を設ける検討、計画が進められている。しかしながら、海岸線に沿って巨大なコンクリート製の防潮堤を設ける場合には、多大なコストが必要になるだけでなく、景観が損なわれ、圧迫感が発生し、さらに土地利用の観点からも課題が残されている。
【００３７】
これに対し、本発明に係る長大な壁型構造物は、上記の通り、施工性に優れ、低コストで構築可能であり、さらに、ＰＣ部材で組み上げたその内部空間にＰＣ部材を積み上げたり、コンクリートを現場打ちするなどすれば、容易に必要な耐荷重を確保することができる。
【００３８】
そして、外観のデザイン性の自由度が高く、欧州の城壁のようなデザインにすることができるため、長大、高大な壁型構造物が海岸線に沿って構築された場合であっても、従来のコンクリート製の防潮堤と比較すれば、景観の悪化、圧迫感の発生を解消することも可能になる。
【００３９】
さらに、本発明に係る長大な壁型構造物は、内部の建築用途機能空間を道路や鉄道、商業施設等に利用できるため、最大予想津波高さよりも高い位置等に道路や鉄道、避難所等になり得る空間を設けておくことで、通常時は長大な壁型構造物を一般の社会生活の営みに活用しつつ、地震発生時には津波による被害を効果的に防止できるものとなり得る。
【００４０】
なお、必要に応じ、内部空間にＰＣ部材を積み上げたり、コンクリートを現場打ちするだけでなく、プレストレスを導入したり、繊維シートや鋼板などの補強材を一体化するなどすれば、防潮堤としての耐力を確保することは可能である。
【符号の説明】
【００４１】
１    壁ユニット部
２    節部
３    支持杭
４    杭頭基礎
５    基礎構造
６    建築用途機能空間
７    壁用ＰＣ部材
８    商業施設
１０  スライドレール
１１  スライドゲートクレーン
１２  ＰＣ部材
Ａ    長大な壁型構造物
Ｇ    地盤
Ｒ    施工領域
Ｓ    構造的なエキスパンションジョイント
Ｔ    車両走行領域
【図１】
2019157439.tif 000003
【図２】
2019157439.tif 000004
【図３】
2019157439.tif 000005
【図４】
2019157439.tif 000006
【図５】
2019157439.tif 000007
【図６】
2019157439.tif 000008